(57)【要約】【課題】  録画モードの設定を気にせずに、録画を行うことができるようにする。【解決手段】  制御回路により、任意に選択された圧縮レートで入力映像信号をデータ圧縮させるようにユーザー設定モード符号化回路３２によるデータ処理を制御し、高画質に対応する圧縮レートで入力映像信号をデータ圧縮させるように高画質モード符号化回路３４によるデータ処理を制御することにより、ユーザー設定モード符号化回路３２によって圧縮処理されたデータを、ＨＤＤに通常記録データとして記録し、高画質モード符号化回路３４によって圧縮処理されたデータを、ＨＤＤにバックアップデータとして記録するようにする。【選択図】  図２
2006025000.tif 000002
【特許請求の範囲】
【請求項１】
デジタル化された入力映像信号を、複数の圧縮レートのいずれかでデータ圧縮して記録媒体に記録が可能な情報記録再生装置であって、
任意に選択された圧縮レートで前記入力映像信号をデータ圧縮する第１データ圧縮手段と、
高画質に対応する圧縮レートで前記入力映像信号をデータ圧縮する第２データ圧縮手段と、
前記任意に選択された圧縮レートで前記入力映像信号をデータ圧縮させるように前記第１データ圧縮手段によるデータ処理を制御し、前記高画質に対応する圧縮レートで前記入力映像信号をデータ圧縮させるように前記第２データ圧縮手段によるデータ処理を制御する制御手段とを備え、
前記第１データ圧縮手段によって圧縮処理されたデータは、前記記録媒体に通常記録データとして記録され、前記第２データ圧縮手段によって圧縮処理されたデータは、前記記録媒体にバックアップデータとして記録される
ことを特徴とする情報記録再生装置。
【請求項２】
前記制御手段は、
前記バックアップデータの記録を行うか否かの選択を促す機能を有し、
前記バックアップデータの記録を行うとした選択があると、前記第１データ圧縮手段及び前記第２データ圧縮手段による圧縮処理を実行させる
ことを特徴とする請求項１に記載の情報記録再生装置。
【請求項３】
前記制御手段は、
前記バックアップデータの記録を行うとした選択が行われると、前記バックアップデータの保持期間の入力を促す機能と、
入力された保持期間を経過すると、前記バックアップデータを削除させる機能とを有する
ことを特徴とする請求項２に記載の情報記録再生装置。
【請求項４】
前記制御手段は、前記バックアップデータの記録を行わないとした選択が行われると、前記第２データ圧縮手段による圧縮処理を実行させないように制御することを特徴とする請求項２に記載の情報記録再生装置。
【請求項５】
前記制御手段は、前記バックアップデータの削除の要求があると、前記記録媒体に記録されている前記バックアップデータの選択を促す機能を有していることを特徴とする請求項１又は２に記載の情報記録再生装置。
【請求項６】
前記制御手段は、
前記記録媒体に記録された前記通常記録データ又は前記バックアップデータのいずれか一方の保存の選択を促す機能と、
保存が選択された一方のデータを残し、他のデータを削除する機能とを有する
ことを特徴とする請求項１又は２に記載の情報記録再生装置。
【請求項７】
デジタル化された入力映像信号を、複数の圧縮レートのいずれかでデータ圧縮して記録媒体に記録が可能な情報記録再生方法であって、
任意に選択された圧縮レートで前記入力映像信号をデータ圧縮する工程と、
高画質に対応する圧縮レートで前記入力映像信号をデータ圧縮する工程と、
前記任意に選択された圧縮レートで前記入力映像信号をデータ圧縮させる制御と、前記高画質に対応する圧縮レートで前記入力映像信号をデータ圧縮させる制御とを行う工程とを有し、
前記任意に選択された圧縮レートで圧縮処理されたデータは、前記記録媒体に通常記録データとして記録され、前記高画質に対応する圧縮レートで圧縮処理されたデータは、前記記録媒体にバックアップデータとして記録される
ことを特徴とする情報記録再生方法。
【請求項８】
前記バックアップデータの記録を行うか否かの選択を促す工程を有し、
前記バックアップデータの記録を行うとした選択があると、前記任意に選択された圧縮レート及び前記高画質に対応する圧縮レートでの圧縮処理が実行される工程とを有する
ことを特徴とする請求項７に記載の情報記録再生方法。
【請求項９】
前記バックアップデータの記録を行うとした選択が行われると、前記バックアップデータの保持期間の入力を促す工程と、
入力された保持期間を経過すると、前記バックアップデータを削除させる工程とを有する
ことを特徴とする請求項８に記載の情報記録再生方法。
【請求項１０】
前記バックアップデータの記録を行わないとした選択が行われると、前記高画質に対応する圧縮レートでの圧縮処理を実行させないように制御する工程を有することを特徴とする請求項８に記載の情報記録再生方法。
【請求項１１】
前記バックアップデータの削除の要求があると、前記記録媒体に記録されている前記バックアップデータの選択を促す工程を有することを特徴とする請求項７又は８に記載の情報記録再生方法。
【請求項１２】
前記記録媒体に記録された前記通常記録データ又は前記バックアップデータのいずれか一方の保存の選択を促す工程と、
保存が選択された一方のデータを残し、他のデータを削除する工程とを有する
ことを特徴とする請求項７又は８に記載の情報記録再生方法。
【発明の詳細な説明】
【技術分野】
【０００１】
本発明は、ユーザーの希望する高画質／標準／長時間のいずれかの録画モードでのデータ記録と、高画質の録画モードによるバックアップデータ記録とを同時に行うことを可能にした情報記録再生装置に関する。
【背景技術】
【０００２】
従来より、たとえばＴＶ放送の番組は、ＶＣＲ（ビデオカセットレコーダー）等の録画／再生機器により録画することができるようになっている。このようなＶＣＲ等の録画／再生機器は、ＴＶ本体に対しケーブルを介して外付けされたり、ＴＶ本体に一体化されたりしており、一般にアナログの映像信号を記録するようになっている。
【０００３】
また最近では、録画／再生機器のデジタル信号処理化が進み、デジタルの映像信号を記録できるＨＤＤ（ハードディスクドライブ）レコーダーやＤＶＤ（デジタルビデオディスク）レコーダーが数多くＡＶ市場に出回るようになっている。
【０００４】
これらのＨＤＤレコーダーやＤＶＤレコーダーは、ＴＶ放送やビデオカメラからのアナログの映像信号に対してデジタル変換を行うとき、単位時間当たりの情報量を削減するための画像圧縮を行うようになっている。画像圧縮を行う際は、たとえばＭＰＥＧ２方式等が用いられ、それにより圧縮された情報である映像信号を示すデータが記録媒体に記録される。
【０００５】
ところで、圧縮の度合いである、情報量の削減の度合いは、高画質／標準／長時間のいずれかの録画モードに対応する圧縮レートの選択によって設定されるようになっており、ユーザーによっていずれかの圧縮レートが選択されると、その選択された圧縮レートに応じた圧縮処理が行われ、記録媒体への記録が行われる。
【０００６】
ここで、圧縮レートは、高画質の録画モードのとき低い値となり、標準の録画モードのとき中程度の値となり、長時間の録画モードのとき高い値となっている。そのため、長時間の録画モードでは、高画質の録画モードに比べて情報の削減量が多くされるので、記録媒体の容量に限りがある場合でも、たとえばＴＶ放送の番組を数多く記録することが可能となるが、その反面、再生時の画質は劣化してしまうことになる。
【０００７】
これに対し、高画質の録画モードでは、長時間の録画モードに比べて情報の削減量が少ないため、たとえばＴＶ放送の番組を数多く記録することができないが、再生時の画質はより鮮明なものとなる。
【０００８】
また一方では、放送の多チャンネル化を考慮し、２番組以上の複数のＴＶ番組をＨＤＤに同時に記録する技術が提案されている。
【０００９】
たとえば、特許文献１では、映像信号検出制御系により、映像信号Ａ／Ｄ変換器からの映像信号と映像入力系のデジタル映像信号とをシステムコントローラの制御により切り換え選択し、選択したデジタル映像信号に対応する映像識別信号を生成し、さらに映像信号帯域圧縮処理系により、映像信号に対してＭＰＥＧやＪＰＥＧといった帯域圧縮処理を施しデータ量を減らして記録データ処理系に供給し、記録データ処理系により、映像信号検出制御系からの映像識別信号を映像信号に付加してＨＤＤに供給して記録するようにしている。
【００１０】
また、特許文献２では、複数のチューナで選局された映像信号を複数のＡ／Ｄコンバータでデジタル化し、４−１変換回路で複数の映像信号データを１つの映像信号データに変換し、ＭＰＥＧエンコーダーで画像圧縮し、この出力を音声信号と共にマルチプレクサで多重化し、ＨＤＤに送り記録するようにしている。
【特許文献１】特開平１０−２４８０４９号公報
【特許文献２】特開２０００−１２５２６３号公報
【発明の開示】
【発明が解決しようとする課題】
【００１１】
上述した特許文献１，２に示されるように、２番組以上の複数のＴＶ番組をＨＤＤに同時に記録することで、たとえば同じ時間帯に視聴したいＴＶ番組が複数重なっている場合でも、録画後に、それぞれのＴＶ番組を視聴できるので大変便利である。
【００１２】
ところで、複数のＴＶ番組をたとえば予約録画するとき、たとえばリモコン送信機に“Ｇコード”予約機能が持たされている場合には、それぞれのＴＶ番組のＧコードを入力することで、簡単に予約録画の設定を行うことができる。
【００１３】
ところが、Ｇコードは、予約録画する場合に必要な「日付」、「チャンネル」、「番組開始時間」、「番組の長さ」の４つの情報のみを有するものであり、それぞれのＴＶ番組の高画質／標準／長時間のいずれかの録画モードの設定を行わなければ、前値保持された情報に基づいて設定されてしまうことになる。
【００１４】
すなわち、一度、たとえば長時間の録画モードで予約録画を設定したとすると、次に予約録画を設定する場合、録画モードの設定を変更しなければ、長時間の録画モードのままで設定されることになる。この場合、その長時間の録画モードが、ユーザーの意図するものであるならば何の問題もないが、たとえばＴＶ番組の内容等によっては高画質の録画モードにしておけばよかったと後悔するときがある。
【００１５】
このようなことは、２番組以上の複数のＴＶ番組をＨＤＤに同時に記録する場合に限らず、単一のＴＶ番組を記録する場合も同様である。また、予約録画に限らず、ＴＶ番組が放送中に録画する場合も同様である。
【００１６】
解決しようとする問題点は、たとえばＴＶ番組を録画するとき、録画モードの設定を変更しなければ、先に設定された録画モードで記録されてしまうという点である。
【課題を解決するための手段】
【００１７】
本発明の情報記録再生装置は、デジタル化された入力映像信号を、複数の圧縮レートのいずれかでデータ圧縮して記録媒体に記録が可能な情報記録再生装置であって、任意に選択された圧縮レートで前記入力映像信号をデータ圧縮する第１データ圧縮手段と、高画質に対応する圧縮レートで前記入力映像信号をデータ圧縮する第２データ圧縮手段と、前記任意に選択された圧縮レートで前記入力映像信号をデータ圧縮させるように前記第１データ圧縮手段によるデータ処理を制御し、前記高画質に対応する圧縮レートで前記入力映像信号をデータ圧縮させるように前記第２データ圧縮手段によるデータ処理を制御する制御手段とを備え、前記第１データ圧縮手段によって圧縮処理されたデータは、前記記録媒体に通常記録データとして記録され、前記第２データ圧縮手段によって圧縮処理されたデータは、前記記録媒体にバックアップデータとして記録されることを特徴とする。
また、前記制御手段は、前記バックアップデータの記録を行うか否かの選択を促す機能を有し、前記バックアップデータの記録を行うとした選択があると、前記第１データ圧縮手段及び前記第２データ圧縮手段による圧縮処理を実行させるようにすることができる。
また、前記制御手段は、前記バックアップデータの記録を行うとした選択が行われると、前記バックアップデータの保持期間の入力を促す機能と、入力された保持期間を経過すると、前記バックアップデータを削除させる機能とを有するようにすることができる。
また、前記制御手段は、前記バックアップデータの記録を行わないとした選択が行われると、前記第２データ圧縮手段による圧縮処理を実行させないように制御するようにすることができる。
また、前記制御手段は、前記バックアップデータの削除の要求があると、前記記録媒体に記録されている前記バックアップデータの選択を促す機能を有しているようにすることができる。
また、前記制御手段は、前記記録媒体に記録された前記通常記録データ又は前記バックアップデータのいずれか一方の保存の選択を促す機能と、保存が選択された一方のデータを残し、他のデータを削除する機能とを有するようにすることができる。
本発明の情報記録再生方法は、デジタル化された入力映像信号を、複数の圧縮レートのいずれかでデータ圧縮して記録媒体に記録が可能な情報記録再生方法であって、任意に選択された圧縮レートで前記入力映像信号をデータ圧縮する工程と、高画質に対応する圧縮レートで前記入力映像信号をデータ圧縮する工程と、前記任意に選択された圧縮レートで前記入力映像信号をデータ圧縮させる制御と、前記高画質に対応する圧縮レートで前記入力映像信号をデータ圧縮させる制御とを行う工程とを有し、前記任意に選択された圧縮レートで圧縮処理されたデータは、前記記録媒体に通常記録データとして記録され、前記高画質に対応する圧縮レートで圧縮処理されたデータは、前記記録媒体にバックアップデータとして記録されることを特徴とする。
また、前記バックアップデータの記録を行うか否かの選択を促す工程を有し、前記バックアップデータの記録を行うとした選択があると、前記任意に選択された圧縮レート及び前記高画質に対応する圧縮レートでの圧縮処理が実行される工程とを有するようにすることができる。
また、前記バックアップデータの記録を行うとした選択が行われると、前記バックアップデータの保持期間の入力を促す工程と、入力された保持期間を経過すると、前記バックアップデータを削除させる工程とを有するようにすることができる。
また、前記バックアップデータの記録を行わないとした選択が行われると、前記高画質に対応する圧縮レートでの圧縮処理を実行させないように制御する工程を有するようにすることができる。
また、前記バックアップデータの削除の要求があると、前記記録媒体に記録されている前記バックアップデータの選択を促す工程を有するようにすることができる。
また、前記記録媒体に記録された前記通常記録データ又は前記バックアップデータのいずれか一方の保存の選択を促す工程と、保存が選択された一方のデータを残し、他のデータを削除する工程とを有するようにすることができる。
本発明に係る情報記録再生装置では、制御手段により、任意に選択された圧縮レートで入力映像信号をデータ圧縮させるように第１データ圧縮手段によるデータ処理を制御し、高画質に対応する圧縮レートで入力映像信号をデータ圧縮させるように第２データ圧縮手段によるデータ処理を制御することにより、第１データ圧縮手段によって圧縮処理されたデータを、記録媒体に通常記録データとして記録し、第２データ圧縮手段によって圧縮処理されたデータを、記録媒体にバックアップデータとして記録することができる。
【発明の効果】
【００１８】
本発明の情報記録再生装置によれば、第１データ圧縮手段により任意に選択された圧縮レートで圧縮処理されたデータを、記録媒体に通常記録データとして記録し、第２データ圧縮手段により高画質に対応する圧縮レートで圧縮処理されたデータを、記録媒体にバックアップデータとして記録することができるので、録画モードの設定を気にせずに、録画を行うことができる。
【発明を実施するための最良の形態】
【００１９】
本実施形態では、第１データ圧縮手段により任意に選択された圧縮レートで圧縮処理されたデータを、記録媒体に通常記録データとして記録し、第２データ圧縮手段により高画質に対応する圧縮レートで圧縮処理されたデータを、記録媒体にバックアップデータとして記録することで、録画モードの設定を気にせずに、録画を行うことができるようにした。
【００２０】
以下、本発明の実施の形態について説明する。
図１は、本発明の情報記録再生装置をＨＤＤレコーダーに適用した場合の一実施形態を示すブロック図、図２は、図１のＭＰＥＧエンコーダーの詳細を説明するためのブロック図、図３〜図４は、図１のＨＤＤレコーダーにおけるバックアップ機能を選択する際に表示されるＯＳＤ(On Screen Display)メニューの一例を示す図、図５は、図１のＨＤＤレコーダーにおけるバックアップデータを手動で削除する際に表示されるＯＳＤ(On Screen Display)メニューの一例を示す図、図６は、図１のＨＤＤレコーダーの動作を説明するためのフローチャートである。
【００２１】
図１に示すように、ＨＤＤレコーダーは、入力切換回路１０、Ａ／Ｄ変換回路２０、ＭＰＥＧエンコーダー３０、第１バッファー４０、ＨＤＤコントローラ５０、ＭＰＥＧデコーダー６０、第２バッファー７０、Ｄ／Ａ変換回路８０、制御回路９０を備えている。
【００２２】
入力切換回路１０は、ＴＶ放送信号、ＡＵＸ１、ＡＵＸ２等からのアナログ信号の入力切換えを行う。Ａ／Ｄ変換回路２０は、入力切換回路１０からのアナログ信号をデジタル信号に変換する。
【００２３】
ＭＰＥＧエンコーダー３０は、Ａ／Ｄ変換回路２０によってデジタル信号に変換されたデータに対し、所定の圧縮レートでの圧縮を行う。ここで、所定の圧縮レートとは、情報の圧縮の度合いであり、たとえば高画質／標準／長時間のいずれかの録画モードに対応するものである。
【００２４】
第１バッファー４０は、ＭＰＥＧエンコーダー３０によって圧縮されたデータを保持する。ＨＤＤコントローラ５０は、ＭＰＥＧエンコーダー３０によって圧縮されたデータが記録媒体としてのＨＤＤ（ハードディスク）１００に記録されるとき、そのＨＤＤ１００に記録データを出力する。また、ＨＤＤコントローラ５０は、ＨＤＤ１００に記録されたデータが再生されるとき、そのデータをＭＰＥＧデコーダー６０に出力する。
【００２５】
ＭＰＥＧデコーダー６０は、ＨＤＤコントローラ５０から出力される、ＨＤＤ１００に記録されたデータを再生するとき、そのデータをデコードする。第２バッファー７０は、ＭＰＥＧデコーダー６０によってデコードされたデータを保持する。
【００２６】
Ｄ／Ａ変換回路８０は、ＭＰＥＧデコーダー６０によってデコードされたデジタル信号をアナログ信号に変換してモニター出力とする。制御手段としての制御回路９０は、たとえば録画指示があると、ＭＰＥＧエンコーダー３０に対し、ユーザーの希望する高画質／標準／長時間のいずれかの録画モードに対応する圧縮レートでの圧縮処理と、高画質の録画モードに対応する圧縮レートでの圧縮処理とを行わせるがその詳細は後述する。
【００２７】
また、制御回路９０は、後述の高画質モード符号化回路３４によって圧縮されたデータを、バックアップデータとしてＨＤＤ１００に一時的に記録するか否かの要求を受け付ける機能を有しているが、その詳細も後述する。また、制御回路９０は、そのバックアップデータをＨＤＤ１００に一時的に記録するとした要求を受け付けたとき、その一時的な保持期間の要求を受け付け、その保持期間が経過したとき、そのバックアップデータをＨＤＤ１００から削除するようにＨＤＤコントローラ５０を制御する機能を有しているが、その詳細も後述する。
【００２８】
なお、制御回路９０は、その一時的な保持期間の要求を受け付けても、バックアップデータの削除の要求があった場合には、即座にそのバックアップデータをＨＤＤ１００から削除するようにＨＤＤコントローラ５０を制御することも可能であり、その詳細も後述する。
【００２９】
また、制御回路９０は、そのバックアップデータを削除せずに、後述のユーザー設定モード符号化回路３２によって圧縮されたデータの削除の要求があった場合には、即座にそのデータをＨＤＤ１００から削除するようにＨＤＤコントローラ５０を制御することも可能である。
【００３０】
また、制御回路９０は、ＨＤＤ１００に記録された通常記録データ又はバックアップデータのいずれか一方の保存の選択を促す機能と、保存が選択された一方のデータを残し、他のデータを削除する機能とを有することも可能である。
【００３１】
次に、ＭＰＥＧエンコーダー３０の詳細について説明する。
すなわち、図２に示すように、ＭＰＥＧエンコーダー３０は、第１フィルター回路３１、ユーザー設定モード符号化回路３２、第２フィルター回路３３、高画質モード符号化回路３４、ヘッダー情報付与回路３５を備えている。
【００３２】
第１フィルター回路３１は、上述したＡ／Ｄ変換回路２０によりデジタル信号に変換されたデータに対し、所定の帯域制限をかけて出力する。第１データ圧縮手段としてのユーザー設定モード符号化回路３２は、ユーザーにより設定された高画質／標準／長時間の録画モードのいずれかに対応する圧縮レートでのデータ圧縮を行う。なお、ユーザー設定モード符号化回路３２によって圧縮処理されたデータは、ＨＤＤ１００に通常記録データとして記録される。
【００３３】
ここで、ユーザーによる高画質／標準／長時間の録画モードのいずれかの設定は、たとえば図示しないリモコン送信機からの録画モードの選択信号を図示しない受信回路が受け付けることで可能であり、この場合、制御回路９０がその録画モードの選択信号を録画モード設定情報としてユーザー設定モード符号化回路３２に与える。
【００３４】
第２フィルター回路３３は、上述したＡ／Ｄ変換回路２０によりデジタル信号に変換されたデータに対し、所定の帯域制限をかけて出力する。第２データ圧縮手段としての高画質モード符号化回路３４は、高画質モードに応じたデータ圧縮を行う。なお、高画質モード符号化回路３４によって圧縮処理されたデータは、ＨＤＤ１００にバックアップデータとして記録される。
【００３５】
ヘッダー情報付与回路３５は、ユーザー設定モード符号化回路３２及び高画質モード符号化回路３４によって圧縮されたそれぞれのデータに対しヘッダーを付与し、記録データとして出力する。
【００３６】
ここで、第２フィルター回路３３及び高画質モード符号化回路３４は、第１フィルター回路３１及びユーザー設定モード符号化回路３２と平行して動作する。また、ヘッダー情報付与回路３５により、ユーザー設定モード符号化回路３２及び高画質モード符号化回路３４によって圧縮されたそれぞれのデータに対しヘッダーが付与され、それぞれのデータが上述したＨＤＤ１００に記録される。これにより、ＨＤＤ１００に記録されたデータが通常記録データであるかバックアップデータであるかの識別が可能となる。
【００３７】
次に、ＨＤＤレコーダーの動作について説明する。なお、以下においては、ＴＶ番組が放送中に録画を行う場合について説明する。
【００３８】
まず、図６に示すように、たとえば図示しないリモコン送信機からの録画要求が有ると（ステップＳ１）、高画質／標準／長時間のいずれかの録画モードの選択の有無が判断される（ステップＳ２）。録画モードの選択が有る場合には、制御回路９０からユーザー設定モード符号化回路３２に選択されたいずれかの録画モードを示す選択信号である録画モード設定情報が与えられることで、ユーザー設定モード符号化回路３２が選択された録画モードに設定され（ステップＳ３）、ユーザー設定モード符号化回路３２により選択された録画モードに対応する圧縮レートでのデータ圧縮が行われる。
【００３９】
これに対し、（ステップＳ２）にて録画モードの選択が無い場合、制御回路９０からユーザー設定モード符号化回路３２に前置保持された情報である、高画質／標準／長時間のいずれかの録画モードを示す選択信号である録画モード設定情報が与えられる（ステップＳ４）。ここで、前置保持された情報とは、以前に録画を行ったときに選択された高画質／標準／長時間のいずれかを示す録画モードであり、その情報は図示しないメモリに格納されている。
【００４０】
次いで、バックアップの要求の有無が判断される（ステップＳ５）。この場合、たとえば図３に示すように、図示しないモニターにバックアップデータを記録するかしないかを促す画面をＯＳＤ表示させて、ユーザーに選択させるようにすることができる。
【００４１】
ここで、『はい』が選択されることで、バックアップデータを記録する選択が行われると、たとえば図４に示すように、図示しないモニターにバックアップデータの保持期間の入力を促す画面をＯＳＤ表示させて、ユーザーに入力させるようにすることができる（ステップＳ６）。
【００４２】
そして、バックアップデータの保持期間の入力が行われると、ユーザー設定モード符号化回路３２により、ユーザーにより設定された高画質／標準／長時間の録画モードのいずれかに対応する圧縮レートでのデータ圧縮が行われるとともに、高画質モード符号化回路３４により、高画質の録画モードに対応する圧縮レートでのデータ圧縮が行われる。
【００４３】
また、ユーザー設定モード符号化回路３２及び高画質モード符号化回路３４によって圧縮されたそれぞれのデータは、ヘッダー情報付与回路３５によってヘッダーが付与され、記録データとして出力されることにより、ＨＤＤ１００に記録される（ステップＳ８）。ここで、ユーザー設定モード符号化回路３２によって圧縮されたデータは、通常記録データとして記録され、高画質モード符号化回路３４によって圧縮されたデータは、バックアップデータとして記録される。また、それぞれのデータには、ヘッダー情報付与回路３５によってヘッダーが付与されているため、通常記録データ又はバックアップデータの識別が可能である。
【００４４】
これに対し、（ステップＳ５）において、バックアップの要求が無い場合、すなわちたとえば図３に示す画面で『いいえ』が選択されると、図４のバックアップデータの保持期間の入力を促す画面のＯＳＤ表示が割愛され、ユーザー設定モード符号化回路３２によってのみ、（ステップＳ３）又は（ステップＳ４）で設定された録画モードに対応する圧縮レートでのデータ圧縮が行われる（ステップＳ９）。
【００４５】
そして、ユーザー設定モード符号化回路３２によってのみ圧縮されたデータは、ヘッダー情報付与回路３５によってヘッダーが付与され、記録データとして出力されることにより、ＨＤＤ１００に記録される（ステップＳ８）。この場合、高画質モード符号化回路３４によってのデータ圧縮が無いため、バックアップデータの記録は行われない。
【００４６】
次いで、（ステップＳ５）において、バックアップの要求が有り、（ステップＳ６）において、保持期間が受け付けられている場合、バックアップの保持期間が経過したか否かが判断される（ステップＳ１０）。
【００４７】
ここで、バックアップの保持期間が経過した場合には、制御回路９０がＨＤＤコントローラ５０を制御し、ＨＤＤ１００からバックアップデータを削除させる（ステップＳ１１）。このように、バックアップの保持期間が経過した場合に、自動的にバックアップデータを削除させることにより、ＨＤＤ１００の記録領域の減少を抑えることが可能となる。
【００４８】
これに対し、バックアップの保持期間が経過していない場合であっても、バックアップの削除の要求があると、たとえば図５に示すように、図示しないモニターに現在ＨＤＤ１００に記録されているバックアップデータを示すプログラムをサムネイルでＯＳＤ表示させて、ユーザーに選択させるようにすることができる。このように、バックアップの保持期間が経過していない場合であっても、手動でバックアップデータを削除させることにより、ＨＤＤ１００の記録領域の減少を抑えることが可能となる。
【００４９】
なお、図６では、ＴＶ番組が放送中に録画する場合について説明したが、予約録画を行う際には、（ステップＳ１）にてたとえばリモコン送信機に“Ｇコード”予約機能が持たされている場合、そのＴＶ番組のＧコードを入力を受け付け、（ステップＳ７）又は（ステップＳ９）でのユーザー設定モード符号化回路３２及び高画質モード符号化回路３４によるデータ圧縮又はユーザー設定モード符号化回路３２によってのみのデータ圧縮を、Ｇコードの予約録画する場合に必要な「日付」、「チャンネル」、「番組開始時間」、「番組の長さ」の４つの情報に基づいて行わせればよい。
【００５０】
また、図６では、単一のＴＶ番組を録画する場合について説明したが、２番組以上の複数のＴＶ番組の場合も、上記同様にしてユーザー設定モード符号化回路３２及び高画質モード符号化回路３４によるデータ圧縮又はユーザー設定モード符号化回路３２によってのみのデータ圧縮により、録画することが可能である。この場合、たとえば第１フィルター回路３１、ユーザー設定モード符号化回路３２、第２フィルター回路３３及び高画質モード符号化回路３４をそれぞれ２個以上設けることで、実現することができる。
【００５１】
このように、本実施形態では、制御回路９０により、任意に選択された圧縮レートで入力映像信号をデータ圧縮させるようにユーザー設定モード符号化回路３２によるデータ処理を制御し、高画質に対応する圧縮レートで入力映像信号をデータ圧縮させるように高画質モード符号化回路３４によるデータ処理を制御することにより、ユーザー設定モード符号化回路３２によって圧縮処理されたデータを、ＨＤＤ１００に通常記録データとして記録し、高画質モード符号化回路３４によって圧縮処理されたデータを、ＨＤＤ１００にバックアップデータとして記録することができるので、録画モードの設定を気にせずに、録画を行うことができる。
【００５２】
これにより、ＨＤＤレコーダーがたとえば一般家庭で使用されるとき、複数のユーザーが各々の希望する録画モードでの設定を行い、その録画モードがたとえば長時間として前置保持されていて、次にたとえば予約録画を行うとき、録画モードの設定変更を忘れていても、ユーザー設定モード符号化回路３２によって圧縮処理された通常記録データの画質がユーザーの希望するものでない場合には、バックアップデータを再生することができ、十分な画質で映像を見ることができる。
【００５３】
また、本実施形態では、制御回路９０により、バックアップデータの記録を行うか否かの選択を促すようにし、バックアップデータの記録を行うとした選択があると、ユーザー設定モード符号化回路３２及び高画質モード符号化回路３４による圧縮処理を実行させるようにしたので、バックアップデータの記録を行うか否かの選択をユーザーに対して行わせることができ、操作性の向上が図れる。
【００５４】
また、本実施形態では、制御回路９０により、バックアップデータの記録を行うとした選択が行われると、バックアップデータの保持期間の入力を受け付け、入力された保持期間を経過すると、ＨＤＤ１００からバックアップデータを削除させるようにしたので、ＨＤＤ１００の記録領域の減少を抑えることが可能となる。
【００５５】
また、本実施形態では、制御回路９０により、バックアップデータの記録を行わないとした選択が行われると、高画質モード符号化回路３４によるを圧縮処理を実行させないようにしたので、バックアップデータの記録を行うか否かの選択をユーザーに対して行わせることができ、操作性の向上が図れる。
【００５６】
また、本実施形態では、制御回路９０により、バックアップデータの保持期間が経過する前であっても、バックアップデータの削除の要求があると、ＨＤＤ１００記録されているバックアップデータの選択を促すようにしたので、ＨＤＤ１００の記録領域の減少を抑えるとともに、操作性の向上が図れる。
【００５７】
なお、本実施形態では、バックアップデータを保持期間が経過した後に削除するか、又は削除の要求があったときに削除する場合について説明したが、これに限らず、制御回路９０により、ＨＤＤ１００に記録された通常記録データ又はバックアップデータのいずれか一方の保存の選択を促すようにし、保存が選択された一方のデータを残し、他のデータを削除するようにしてもよい。
【００５８】
また、本実施形態では、制御回路９０により、バックアップデータの記録を行うか否かの選択を促すようにし、バックアップデータの記録を行うとした選択があると、ユーザー設定モード符号化回路３２及び高画質モード符号化回路３４によるを圧縮処理を実行させるようにした場合について説明したが、たとえば図示しないリモコン送信機からの録画モードの選択が高画質である場合には、自動的に高画質モード符号化回路３４によるを圧縮処理を実行させず、バックアップデータの記録を行わないようにすることも可能である。
【産業上の利用可能性】
【００５９】
単体のＨＤＤレコーダーに限らず、ＤＶＤレコーダー、ＶＣＲ、ＴＶモニター等のＡＶ機器と複合化されたものであっても適用可能である。
【図面の簡単な説明】
【００６０】
【図１】本発明の情報記録再生装置をＨＤＤレコーダーに適用した場合の一実施形態を示すブロック図である。
【図２】図１のＭＰＥＧエンコーダーの詳細を説明するためのブロック図である。
【図３】図１のＨＤＤレコーダーにおけるバックアップ機能を選択する際に表示されるＯＳＤ(On Screen Display)メニューの一例を示す図である。
【図４】図１のＨＤＤレコーダーにおけるバックアップ機能を選択する際に表示されるＯＳＤ(On Screen Display)メニューの一例を示す図である。
【図５】図１のＨＤＤレコーダーにおけるバックアップデータを手動で削除する際に表示されるＯＳＤ(On Screen Display)メニューの一例を示す図である。
【図６】図１のＨＤＤレコーダーの動作を説明するためのフローチャートである。
【符号の説明】
【００６１】
３０  ＭＰＥＧエンコーダー
３１  第１フィルター回路
３２  ユーザー設定モード符号化回路
３３  第２フィルター回路
３４  高画質モード符号化回路
３５  ヘッダー情報付与回路
９０  制御回路
１００  ＨＤＤ
【図１】
2006025000.tif 000003
【図２】
2006025000.tif 000004
【図３】
2006025000.tif 000005
【図４】
2006025000.tif 000006
【図５】
2006025000.tif 000007
【図６】
2006025000.tif 000008